(57)【要約】【課題】押鍵情報を精度良く検出することができる鍵盤装置を提供すること。【解決手段】ベース部材５０と、そのベース部材５０に支持されスケール方向に並べて設けられる複数の鍵６０と、それら複数の鍵６０の押鍵情報を検出する接点（固定接点９２及び可動接点９４）を有しベース部材５０に固定される基板９１と、その基板９１またはベース部材５０の少なくとも一方に固定され基板９１を振動させる振動体７２と、その振動体７２を振動させる信号を非演奏時に出力可能に構成される信号出力部１４０と、を備える。これにより、非演奏時に振動体７２によって基板９１を振動させ、基板９１の接点に付着した異物を除去することができる。よって、接点における導通のタイミングのずれや導通不良が生じることを抑制できるので、鍵６０の押鍵時の押鍵情報を正確に検出することができる。【選択図】図２
2020173293.tif 000002
【特許請求の範囲】
【請求項１】
ベース部材と、そのベース部材に支持されスケール方向に並べて設けられる複数の鍵と、それら複数の鍵の押鍵情報を検出する接点を有し前記ベース部材に固定される基板と、その基板または前記ベース部材の少なくとも一方に固定され前記基板を振動させる振動体と、その振動体を振動させる信号を非演奏時に出力可能に構成される第１の出力手段と、を備えることを特徴とする鍵盤装置。
【請求項２】
演奏者によって前記鍵が押鍵される使用状態において、前記基板が水平方向に対して傾斜して配置されることを特徴とする請求項１記載の鍵盤装置。
【請求項３】
演奏者による操作が可能とされる操作部を備え、
前記第１の出力手段は、前記操作部が操作されたことに基づいて前記振動体を所定時間振動させることを特徴とする請求項１又は２に記載の鍵盤装置。
【請求項４】
前記操作部は、前記鍵盤装置を起動させる電源スイッチであることを特徴とする請求項３記載の鍵盤装置。
【請求項５】
前記振動体が振動中であることを報知する報知手段を備えることを特徴とする請求項３又は４に記載の鍵盤装置。
【請求項６】
前記鍵が押鍵されたことに基づいて前記振動体を振動させる信号を出力する第２の出力手段を備え、
前記第１の出力手段から出力される信号に基づく前記振動体の振動は、前記第２の出力手段から出力される信号に基づく振動よりも振幅が大きくされることを特徴とする請求項１から５のいずれかに記載の鍵盤装置。
【請求項７】
前記第１の出力手段は、可聴域外の周波数で前記振動体を振動させることを特徴とする請求項６記載の鍵盤装置。
【請求項８】
押鍵された前記鍵の音域に応じた周波数の信号を出力する音源装置を備え、
前記振動体は、前記第１の出力手段から出力される信号に基づいて振動する第１の振動体と、前記第２の出力手段から出力される信号に基づいて振動する第２の振動体とから少なくとも構成され、
前記第２の出力手段は、前記音源装置から出力される信号のうち、所定以上の周波数の信号を減衰させて前記第２の振動体に出力し、
前記第１の振動体は、周波数が４４０Ｈｚ以上の音域の前記鍵の配置領域に配置され、
前記第２の振動体は、周波数が１６５Ｈｚ未満の音域の前記鍵の配置領域に配置されることを特徴とする請求項６又は７に記載の鍵盤装置。
【請求項９】
前記接点は、前記鍵の押鍵に伴って変位する可動接点と、その可動接点の変位によって前記可動接点が接触する固定接点と、を備え、
前記振動体は、前記基板に固定されることを特徴とする請求項６から８のいずれかに記載の鍵盤装置。
【請求項１０】
スケール方向における複数の前記鍵の配置領域にわたって前記ベース部材または前記基板に固定され前記ベース部材および前記基板よりも剛性が高くされる振動伝達部材を備えることを特徴とする請求項１から９のいずれかに記載の鍵盤装置。
【請求項１１】
前記振動体は、前記振動伝達部材を介して前記基板に固定されることを特徴とする請求項１０記載の鍵盤装置。
【請求項１２】
前記振動伝達部材は、前記接点とは反対側の前記基板の裏面に固定され、
前記基板の厚み方向において前記振動伝達部材と前記接点とが重なる位置に配置されることを特徴とする請求項１１記載の鍵盤装置。
【請求項１３】
前記基板は、スケール方向に複数並べて設けられ、
前記振動伝達部材は、複数の前記基板のそれぞれを一体的に連結することを特徴とする請求項１１又は１２に記載の鍵盤装置。
【請求項１４】
ゴム状弾性体を用いて形成され前記接点を覆うカバーを備え、
前記カバーの下端側の内面と前記接点との間に隙間が形成されることを特徴とする請求項２記載の鍵盤装置。
【請求項１５】
前記基板は、前記カバーによって覆われる空間を外部に接続する貫通孔と、その貫通孔を覆う網状の被覆体と、を備えることを特徴とする請求項１４記載の鍵盤装置。
【発明の詳細な説明】
【技術分野】
【０００１】
本発明は、鍵盤装置に関し、特に、押鍵情報を精度良く検出することができる鍵盤装置に関する。
【背景技術】
【０００２】
基板に設けられる接点を押鍵時に導通させることにより、押鍵情報を検出する鍵盤装置が知られている。例えば、特許文献１には、基板に設けられる固定接点と、その固定接点に対向配置される可動接点とを備え、押鍵時に可動接点を固定接点に接触させることにより、接点を導通させる技術が記載されている。この技術では、固定接点および可動接点を１組とした３組の接点を設け、それら３組の各接点が導通する時間差に基づいて押鍵情報（押鍵の加速度）を検出している。
【先行技術文献】
【特許文献】
【０００３】
【特許文献１】特開２０１０−２２４１２７号公報（例えば、段落００４０，００４１、図２）
【発明の概要】
【発明が解決しようとする課題】
【０００４】
しかしながら、上述した従来の技術では、接点に異物が付着すると、押鍵時のストローク量に対して通常よりもズレたタイミングで接点が導通されることや、接点が導通されなかったりすることがある。このような接点における導通のタイミングのズレや導通不良により、押鍵情報を精度良く検出することができなくなるという問題点があった。
【０００５】
本発明は、上述した問題点を解決するためになされたものであり、押鍵情報を精度良く検出することができる鍵盤装置を提供することを目的としている。
【課題を解決するための手段】
【０００６】
この目的を達成するために本発明の鍵盤装置は、ベース部材と、そのベース部材に支持されスケール方向に並べて設けられる複数の鍵と、それら複数の鍵の押鍵情報を検出する接点を有し前記ベース部材に固定される基板と、その基板または前記ベース部材の少なくとも一方に固定され前記基板を振動させる振動体と、その振動体を振動させる信号を非演奏時に出力可能に構成される第１の出力手段と、を備える。
【図面の簡単な説明】
【０００７】
【図１】第１実施形態における鍵盤装置の正面斜視図である。
【図２】図１のＩＩ−ＩＩ線における鍵盤装置の断面図である。
【図３】図２のＩＩＩ部分を拡大した鍵盤装置の部分拡大断面図である。
【図４】鍵盤ユニットの底面斜視図である。
【図５】（ａ）は、鍵盤装置の電気的構成を概略的に示すブロック図であり、（ｂ）は、アコースティックピアノや鍵盤装置の押鍵時に演奏者が感じる鍵振動の大きさを概略的に示すグラフである。
【図６】第２実施形態における鍵盤装置の断面図である。
【図７】図６の矢印ＶＩＩ方向視における鍵盤装置の部分拡大底面図である。
【図８】図６のＶＩＩＩ−ＶＩＩＩ部分を拡大した鍵盤装置の部分拡大断面図である。
【発明を実施するための形態】
【０００８】
以下、好ましい実施の形態について、添付図面を参照して説明する。まず、図１を参照して、鍵盤装置１の全体構成について説明する。図１は、第１実施形態における鍵盤装置１の正面斜視図である。なお、図１では、鍵盤ユニット４を鍵盤テーブル３から取り外した状態が図示され、鍵盤テーブル３に鍵盤ユニット４を配置した際に鍵盤ユニット４の上面側を覆う鍵盤蓋の図示を省略している。
【０００９】
また、図１の矢印Ｕ方向、矢印Ｄ方向、矢印Ｆ方向、矢印Ｂ方向、矢印Ｌ方向、矢印Ｒ方向は、それぞれ鍵盤装置１の上方向、下方向、前方向、後方向、左方向、右方向を示しており、図３以降においても同様とする。
【００１０】
図１に示すように、鍵盤装置１は、本体部２と、その本体部２の上下方向（矢印Ｕ−Ｄ方向）中央の前面（矢印Ｆ側の面）から前方に突出する鍵盤テーブル３と、その鍵盤テーブル３に支持される鍵盤ユニット４と、を備える鍵盤楽器（電子ピアノ）として構成される。
【００１１】
本体部２は、直方体状の筐体であり、本体部２の前面にはスピーカ２０が設けられる。スピーカ２０は、左右方向（矢印Ｌ−Ｒ方向）に所定間隔を隔てて一対に設けられ、それら一対のスピーカ２０の上方側に鍵盤テーブル３が配置される。
【００１２】
鍵盤テーブル３には、鍵盤ユニット４を収容するための下方に凹む凹状空間が形成され、その凹状空間の底面にシャーシ３０が設けられる。シャーシ３０は、左右方向に長い金属製の板状体である。また、鍵盤テーブル３の凹状空間の後端（矢印Ｂ側の端部）側を覆うようにして操作パネル３１が配置され、操作パネル３１には、演奏者による操作が可能な電源スイッチ３２及び清掃開始スイッチ３３と、ＬＥＤや液晶ディスプレイなどから形成され各種の状態を表示するための表示装置３４とが設けられている。
【００１３】
電源スイッチ３２は、鍵盤装置１の電源装置（図示せず）をオン／オフするためのスイッチであり、清掃開始スイッチ３３は、後述する基板９１（図２参照）に設けられる固定接点９２及び可動接点９４の清掃を開始するためのスイッチである。
【００１４】
鍵盤ユニット４は、シャーシ３０に鍵盤ユニット４を固定するための一対の支持部材４０と、それら一対の支持部材４０に支持される樹脂製のベース部材５０と、そのベース部材５０に支持される複数（本実施形態では、８８個）の鍵６０と、後述する振動体７２（図２参照）の振動を左右に伝達するための振動伝達部材７０と、を備える。
【００１５】
支持部材４０は、金属製の軽溝形鋼（断面コ字形のＣ形鋼）であり、各鍵６０が並ぶ左右方向（スケール方向）に長い長尺状に形成される。なお、「長尺状」とは、前後方向寸法および上下方向寸法（物体の太さ）に比べて左右方向寸法（長さ）が十分に（例えば、２０倍以上）長い棒状や筒状のものであり、以下の説明においても同様とする。一対の支持部材４０には、ベース部材５０の前端および後端部分がそれぞれ固定され、ベース部材５０の上面に複数の鍵６０が支持される。
【００１６】
鍵６０は、幹音を演奏するための複数（本実施形態では、５２個）の白鍵６１と、派生音を演奏するための複数（本実施形態では、３６個）の黒鍵６２と、から構成され、それら複数の白鍵６１及び黒鍵６２が左右方向に並べて設けられる。
【００１７】
次いで、図２及び図３を参照して、鍵盤装置１の詳細構成について説明する。図２は、図１のＩＩ−ＩＩ線における鍵盤装置１の断面図であり、図３は、図２のＩＩＩ部分を拡大した鍵盤装置１の部分拡大断面図である。なお、図２及び図３では、図面を簡素化するために、鍵盤装置１の一部の図示を省略している。
【００１８】
図２に示すように、鍵盤装置１は、ベース部材５０の回転軸５１回りに回転可能に軸支されるハンマー８０と、そのハンマー８０の回転状態から鍵６０の押鍵情報を検出するための検出部９０と、を備える。
【００１９】
なお、白鍵６１及び黒鍵６２に対し、それらをベース部材５０により回転可能に軸支（支持）する構造、それらの回転をガイドする構造、及び、それらの押鍵または離鍵に連動してハンマー８０を回転させて押鍵情報を検出する構造は、白鍵６１及び黒鍵６２の両者で実質的に同一である。よって、以下においては、白鍵６１における構造についてのみ説明し、黒鍵６２における構造の説明は省略する。
【００２０】
ベース部材５０の後端（矢印Ｂ側の端部）側の上面（矢印Ｕ側の面）に、白鍵６１の後端部分が回転軸５２回りに回転可能に軸支され、白鍵６１の前後方向（矢印Ｆ−Ｂ方向）略中央部分の下面からは下方（矢印Ｄ側）に突出する突出部６１ａが形成される。突出部６１ａは、白鍵６１の回転に伴う回転力をハンマー８０に伝達するための部位であり、突出部６１ａの突出先端部分がハンマー８０に当接される。
【００２１】
ハンマー８０は、白鍵６１の押鍵時に押鍵の感触を付与するための質量体（押鍵の感触を付与できる程度の重量を有するもの）であり、ハンマー８０と突出部６１ａとの当接部分よりも後方側に位置する回転軸５１にハンマー８０が軸支される。白鍵６１が押鍵されると、白鍵６１の突出部６１ａがハンマー８０の上面に沿って摺動することでハンマー８０が回転軸５１回りに回転する。そのハンマー８０の回転に伴う反力により、白鍵６１を押鍵した際の感触（押鍵感触）が演奏者に付与される。また、白鍵６１を押鍵した際に、ハンマー８０の回転の加速度が検出部９０で検出されることにより、押鍵時の押鍵情報が検出される。
【００２２】
図３に示すように、検出部９０は、ベース部材５０の下面（矢印Ｄ側の面）に固定される基板９１と、その基板９１の上面（矢印Ｕ側の面）に形成される固定接点９２と、その固定接点９２が収容される空間Ｓを有し固定接点９２を被覆した状態で基板９１に固定されるカバー９３と、そのカバー９３の内面に接着される可動接点９４と、を備える。
【００２３】
基板９１は、各鍵６０の配置領域にわたって左右（矢印Ｌ−Ｒ方向）に延びるように設けられ、各鍵６０のそれぞれに対して固定接点９２及び可動接点９４が設けられている。即ち、固定接点９２及び可動接点９４を一組の接点とした場合、鍵６０の数と同数の接点が左右に並べて設けられている。なお、以下の説明において、固定接点９２及び可動接点９４を一組とした接点を、単に「接点」と省略して記載する。
【００２４】
基板９１は、樹脂材料等を用いて形成されるプリント基板であり、基板９１は、その前後（矢印Ｆ−Ｂ方向）の両端側がベース部材５０に固定されている。即ち、基板９１は、表裏が露出した状態でベース部材５０に支持されており、その基板９１の表面（上面）に固定接点９２が形成される。
【００２５】
固定接点９２は、前後方向に複数（本実施形態では、３個）並べて設けられ、それら複数の固定接点９２のそれぞれに対向する複数（本実施形態では、３個）の突起部がカバー９３の内部に形成される。それら複数の突起部のそれぞれに導体である可動接点９４が接着されることにより、固定接点９２と可動接点９４とが対向して配置される。
【００２６】
カバー９３は、ゴム状弾性体を用いてドーム状に形成され、ハンマー８０の前端側の下面にカバー９３が対向配置されているため、白鍵６１の押鍵時にハンマー８０が回転することでハンマー８０によってカバー９３が下方に押し込まれる。これにより、カバー９３が弾性的に変形することで可動接点９４が固定接点９２側に向けて変位し、可動接点９４が固定接点９２に接触する。
【００２７】
図示は省略するが、固定接点９２は、左右方向（矢印Ｌ−Ｒ方向）に所定間隔を隔てて一対が配置されており、それら一対の固定接点９２の間を接続するようにして可動接点９４が接触することにより、固定接点９２が導通される。その導通状態から白鍵６１が離鍵されると、固定接点９２から可動接点９４が離れることにより、固定接点９２が非導通の状態となる。
【００２８】
カバー９３によって取り囲まれる空間Ｓには１組の接点が収容され、左右で隣り合う空間Ｓどうしが連通路９５によって接続される。基板９１には、連通路９５と連なる位置に貫通孔９６が形成され、その貫通孔９６の開口部分（基板９１の裏面）には通気性を有する不織布９７が被覆される。
【００２９】
貫通孔９６は、カバー９３内の空間Ｓを外部に接続しているため、押鍵に伴ってカバー９３が弾性変形する際に、カバー９３内の空間Ｓの空気が連通路９５、貫通孔９６、及び、不織布９７を通過して外部に流出される。よって、カバー９３を容易に弾性変形させることができる。
【００３０】
一方、離鍵時には、カバー９３の弾性回復力によってカバー９３内の空間Ｓが負圧になるため、外部の空気が貫通孔９６を通過してカバー９３内の空間Ｓに流入する。よって、外部からの空気と共に異物がカバー９３内の空間Ｓに侵入するおそれがある。これに対して本実施形態では、貫通孔９６の開口部分が不織布９７によって覆われているので、カバー９３内の空間Ｓに異物が侵入することを不織布９７によって防止できる。
【００３１】
このように、カバー９３内の空間Ｓへの異物の侵入は不織布９７によって防止できるものの、検出部９０の組み付け時（例えば、基板９１へのカバー９３の組み付け時）等に異物がカバー９３内の空間Ｓに入ってしまうことがある。
【００３２】
上述した通り、本実施形態では、固定接点９２の導通／非導通によって白鍵６１の押鍵情報（ノート情報）を検出し、その検出結果に基づく楽音信号を外部に出力しているため、固定接点９２と可動接点９４との間に異物が噛み込まれると、白鍵６１の押鍵情報を精度良く検出することが困難となる。
【００３３】
より具体的には、押鍵された白鍵６１の実際のストローク量や速さに比べ、接点における導通のタイミングがズレたり導通不良が生じたりすることにより、生成される楽音が大きく（小さく）なったり、発音しなかったりすることがある。これに対して本実施形態では、振動体７２によって基板９１を振動させて接点を清掃（異物を除去）できるように構成されている。この構成について、図２から図４を参照して説明する。図４は、鍵盤ユニット４の底面斜視図である。
【００３４】
図４に示すように、ベース部材５０は、左右方向（矢印Ｌ−Ｒ方向）に複数（本実施形態では、８個）並べて設けられる。それら複数のベース部材５０のうち、最も高音側（矢印Ｒ側）に位置するベース部材５０（白鍵６１を３鍵、黒鍵６２を１鍵支持するもの）を除く他の７個のベース部材５０は１オクターブ分の鍵６０を支持している。
【００３５】
複数のベース部材５０は、一対の支持部材４０及び振動伝達部材７０によってそれぞれ連結され、振動伝達部材７０は、振動体７２の振動を左右に伝達するための部材である。振動伝達部材７０は、最も低音側（矢印Ｌ側）に位置するベース部材５０の低音側の端部から最も高音側に位置するベース部材５０の高音側の端部にわたって（左右方向に沿って）ベース部材５０に固定されている。即ち、振動伝達部材７０は、複数のベース部材５０の全てに当接した状態で設けられる。
【００３６】
振動伝達部材７０は、金属製の軽溝形鋼であり、左右方向に長い長尺状に形成される。振動伝達部材７０には、プレート７１を介して２個の振動体７２が固定される。振動体７２は、磁気回路やボイスコイル等を備え、例えば、スピーカの振動板を振動させるための駆動装置であり、公知の構成が採用可能であるのでその詳細な説明を省略する。
【００３７】
なお、以下の説明において、２個の振動体７２のうち、高音側に配置される振動体７２を第１の振動体７２ａ、低音側に配置される振動体７２を第２の振動体７２ｂと定義して説明する。
【００３８】
プレート７１は、その左右方向寸法が振動伝達部材７０よりも短く、前後方向（矢印Ｆ−Ｂ方向）寸法がベース部材５０よりも短い金属製の板状体である。プレート７１は、その後端部分が振動伝達部材７０の下面（矢印Ｄ側の面）に固定され、振動伝達部材７０から前方に突出するプレート７１の上面（矢印Ｕ側の面）に第１の振動体７２ａ及び第２の振動体７２ｂが固定される。
【００３９】
第１の振動体７２ａ及び第２の振動体７２ｂは、それぞれ非演奏時に基板９１（図２，３参照）を振動させて接点の清掃を行うためのものである。一方、第２の振動体７２ｂは、演奏時に鍵６０や基板９１を振動させ、押鍵時の振動を演奏者に付与しつつ、接点の清掃を行うためのものである。まず、非演奏時における接点の清掃について説明する。
【００４０】
第１の振動体７２ａ及び第２の振動体７２ｂは、例えば、演奏者が非演奏時に清掃開始スイッチ３３（図１参照）を操作することで所定時間振動するように構成されている。よって、演奏者が清掃開始スイッチ３３を操作することで第１の振動体７２ａ及び第２の振動体７２ｂを振動させて接点上の異物を除去できる。具体的には、第１の振動体７２ａ及び第２の振動体７２ｂが振動することにより、その振動がプレート７１を介して振動伝達部材７０に伝達される。
【００４１】
振動伝達部材７０は、左右に並ぶ複数のベース部材５０どうしを連結しているため、第１の振動体７２ａ及び第２の振動体７２ｂの振動は、振動伝達部材７０を介して左右に並ぶ各ベース部材５０に伝達される。これにより、ベース部材５０に支持される基板９１（図２，３参照）を振動させることができるので、その振動によって基板９１の接点上の異物を除去することができる。
【００４２】
このように、本実施形態によれば、ベース部材５０（基板９１が支持されるもの）に第１の振動体７２ａ及び第２の振動体７２ｂが固定され、清掃開始スイッチ３３（図１参照）を操作することで非演奏時に第１の振動体７２ａ及び第２の振動体７２ｂを振動させることができる。これにより、非演奏時に第１の振動体７２ａ及び第２の振動体７２ｂによって基板９１を振動させ、基板９１の接点上の異物を除去することができる。よって、接点における導通のタイミングのずれや導通不良が生じることを抑制できるので、鍵６０の押鍵時の押鍵情報を正確に検出し、押鍵に対する楽音の生成を精度良く行うことができる。また、演奏中に生成された楽音に対して演奏者が違和感を覚えた場合に、演奏者が清掃開始スイッチ３３を操作することで接点上の異物を除去することができる。即ち、演奏者が必要に応じたタイミングで接点の清掃を行うことができる。
【００４３】
また、第１の振動体７２ａ及び第２の振動体７２ｂが振動伝達部材７０に固定され、左右に並ぶ各ベース部材５０に振動伝達部材７０が当接されているので、第１の振動体７２ａ及び第２の振動体７２ｂの振動を、振動伝達部材７０を介して各ベース部材５０に伝達させることができる。金属製の振動伝達部材７０は、樹脂製のベース部材５０に比べて剛性が高いため、第１の振動体７２ａ及び第２の振動体７２ｂの振動が振動伝達部材７０を通じて左右方向に伝達されやすい。
【００４４】
よって、第１の振動体７２ａ及び第２の振動体７２ｂをベース部材５０に直接固定する場合に比べ、基板９１に第１の振動体７２ａ及び第２の振動体７２ｂの振動を効率よく伝達することができる。即ち、第１の振動体７２ａ及び第２の振動体７２ｂから左右方向で離れた位置に配置される接点にも振動を伝達させやすくすることができるので、接点の異物を除去し易くできる。
【００４５】
また、振動伝達部材７０は、左右に並ぶ各ベース部材５０を連結しているので、各ベース部材５０がそれぞれ別体に構成される場合であっても、各ベース部材５０に支持される基板９１に一挙に（ほぼ同時に）第１の振動体７２ａ及び第２の振動体７２ｂの振動を伝達させることができる。更に、各ベース部材５０（基板９１）に振動を伝達させる機能に加え、複数のベース部材５０どうしを連結する機能を振動伝達部材７０に兼用させることができるので、部品点数を低減させることができる。
【００４６】
ここで、単にベース部材５０よりも剛性の高い部材によって振動を伝達させやすくすることを目的とするのであれば、振動伝達部材７０を板状（例えば、ベース部材５０よりも前後方向寸法が短く、ベース部材５０に固定可能な程度の寸法の板状）に形成することも可能である。しかしながら、そのような構成では、第１の振動体７２ａ及び第２の振動体７２ｂの振動によって板状の振動伝達部材７０がスピーカの振動板のように振動して可聴音が生じ、騒音となるおそれがある。
【００４７】
これに対して本実施形態では、振動伝達部材７０の上下方向寸法および前後方向寸法のそれぞれがベース部材５０よりも小さく設定され、振動伝達部材７０が左右方向に長い長尺状（断面コ字形（Ｃ形）の棒状）に形成される。これにより、第１の振動体７２ａ及び第２の振動体７２ｂの振動で振動伝達部材７０が振動板のように振動して可聴音が生じることを抑制できるので、接点の清掃時に騒音が生じることを抑制できる。
【００４８】
このように、振動体７２（第１の振動体７２ａ及び第２の振動体７２ｂ）の振動は、左右に並ぶ各ベース部材５０に振動伝達部材７０を介して伝達されるが、本実施形態では、そのベース部材５０に伝達された振動を基板９１に効率良く伝達し、接点上の異物が除去され易い構成となっている。この構成について、図２及び図３に戻って説明する。なお、ベース部材５０に対する第１の振動体７２ａ及び第２の振動体７２ｂの固定構造は、左右方向での固定位置が異なる点を除き、第１の振動体７２ａ及び第２の振動体７２ｂの両者で実質的に同一である。よって、第１の振動体７２ａの固定構造についてのみ説明する。
【００４９】
図２に示すように、ベース部材５０は、前後で所定間隔を隔てる一対の支持部材４０の間に架け渡される態様で固定される。即ち、ベース部材５０の前端側および後端側のそれぞれが支持部材４０を介してシャーシ３０に固定されており、一対の支持部材４０の間の領域においては、シャーシ３０とベース部材５０とが非接触の状態で（上下に所定間隔を隔てて）配置される。よって、ベース部材５０に振動が伝達されると、ベース部材５０の前後方向略中央部分が振動の腹となり、ベース部材５０の前後方向略中央部分で振動の振幅が最大となりやすい。
【００５０】
本実施形態では、ベース部材５０の前後方向略中央の下面に振動伝達部材７０が固定され、振動伝達部材７０及び第１の振動体７２ａ（プレート７１）はシャーシ３０と非接触の状態で配置される。これにより、ベース部材５０の振動の腹となる部分に第１の振動体７２ａからの振動を伝達できるので、その振動によってベース部材５０自体が振動しやすくなる（第１の振動体７２ａの振動をベース部材５０の腹の部分で増幅させることができる）。よって、第１の振動体７２ａの振動を基板９１に効率良く伝達することができる。
【００５１】
なお、ベース部材５０の「前後方向略中央」とは、ベース部材５０の前後方向中央から前後の所定領域内（例えば、ベース部材５０の前後方向寸法の２５％の領域内）である。その領域内に振動伝達部材７０を配置する構成であれば、第１の振動体７２ａの振動によってベース部材５０自体を振動させやすくできる。
【００５２】
また、振動伝達部材７０及び第１の振動体７２ａ（プレート７１）がシャーシ３０と非接触の状態で配置されるので、第１の振動体７２ａの振動が板状のシャーシ３０に伝達されることを抑制できる。これにより、第１の振動体７２ａの振動がシャーシ３０側に分散されることや、第１の振動体７２ａの振動で板状のシャーシ３０がスピーカの振動板のように振動することを抑制できる。よって、例えば、振動伝達部材７０や第１の振動体７２ａ（プレート７１）がシャーシ３０に接触して設けられる場合に比べ、第１の振動体７２ａの振動を基板９１に効率よく伝達できると共に、シャーシ３０の振動による騒音の発生を抑制できる。
【００５３】
また、ベース部材５０は、防振部材（例えば、ゴム状弾性体）を介することなくシャーシ３０（支持部材４０）に固定されている。これにより、ベース部材５０の振動の節となる前後の両端側の部位をシャーシ３０に強固に固定できる。よって、シャーシ３０に強固に固定される前後の両端側の部位よりも比較的剛性が低いベース部材５０の前後方向中央（振動の腹となる部位）に振動伝達部材７０を設けることにより、ベース部材５０自体をより効果的に振動させることができる。よって、第１の振動体７２ａの振動を基板９１に効率良く伝達することができる。
【００５４】
また、振動伝達部材７０及び基板９１のそれぞれがベース部材５０の前後方向略中央部分に固定されているため、ベース部材５０の振動の腹となる部分で増幅された振動により、基板９１も振動させ易くすることができる。
【００５５】
このように、第１の振動体７２ａからの振動を振動伝達部材７０及びベース部材５０を介して基板９１に効率よく伝達する（基板９１を振動させ易くする）ことができれば、基板９１の接点上の異物を除去し易くできる。
【００５６】
図３に示すように、基板９１は、鍵盤装置１が床面に載置された使用状態（鍵６０の押鍵によって演奏が行われる状態）において水平方向に対して傾斜して配置される。即ち、基板９１が前方側に向けて下降傾斜して配置されるため、基板９１の振動によって接点上から除去した異物を基板９１の傾斜に沿って（下方側に）振るい落とし易くできる。よって、接点上の異物の除去を効果的に行うことができる。
【００５７】
また、前後に並ぶ３つの固定接点９２のうち、基板９１の傾斜方向において最も下端側（前端側）に位置する固定接点９２とカバー９３の下端側の内面９３ａとの間には隙間が形成されている。これにより、基板９１の傾斜に沿って振るい落とした異物を、カバー９３の内面９３ａと固定接点９２との間の隙間に受け入れることができる。よって、他の固定接点９２や可動接点９４から除去された異物が、下端側の固定接点９２の上に付着することを抑制できる。
【００５８】
次いで、図４及び図５を参照して、演奏時に押鍵時の振動を演奏者に付与しつつ、接点の清掃を行う構成について説明する。図５（ａ）は、鍵盤装置１の電気的構成を概略的に示すブロック図であり、図５（ｂ）は、アコースティックピアノや鍵盤装置１の押鍵時に演奏者が感じる鍵振動の大きさを概略的に示すグラフである。
【００５９】
図５（ａ）に示すように、鍵盤装置１は、鍵盤ユニット４の検出部９０で検出された押鍵情報に基づいて楽音信号を生成する音源装置１００を備えている。検出部９０で検出された押鍵情報には、鍵６０（図４参照）が押鍵された際の速度（加速度）の情報が含まれており、その速度が速いほど音源装置１００で生成される楽音信号のレベルが大きくなるように構成されている。
【００６０】
音源装置１００から出力される楽音信号は、アンプ１１０を介してスピーカ２０に出力される一方、音源装置１００から出力される楽音信号は信号加工部１２０及びアンプ１３０を介して第２の振動体７２ｂにも出力される。
【００６１】
即ち、第２の振動体７２ｂは、音源装置１００から出力される楽音信号によっても振動するように構成されている。音源装置１００が出力する楽音信号は、押鍵された鍵６０の音名に対応した基本周波数の信号であるため、押鍵された鍵６０が低音側のものであるほど低周波の信号となり、押鍵された鍵６０が高音側のものであるほど高周波の信号となる。なお、基本周波数とは、鍵６０の音名に対応する基音の周波数である。
【００６２】
信号加工部１２０は、音源装置１００から出力される楽音信号を加工するための電子回路あるいはＤＳＰなどの信号処理装置であり、音源装置１００から出力される楽音信号を減衰するローパスフィルタを備えている。
【００６３】
信号加工部１２０は、音源装置１００から出力される楽音信号の基本周波数が所定未満（本実施形態では、４４０Ｈｚ未満）である場合には、その楽音信号のレベルを減衰することなくアンプ１３０（第２の振動体７２ｂ）に出力する一方、音源装置１００から出力される楽音信号の基本周波数が所定以上（本実施形態では、４４０Ｈｚ以上）である場合には、その楽音信号のレベルを減衰してアンプ１３０（第２の振動体７２ｂ）に出力する。
【００６４】
よって、押鍵された鍵６０が所定より低音（４４０Ｈｚ未満の音名に対応するもの）である場合には、音源装置１００から出力される楽音信号に基づいて第２の振動体７２ｂを振動させる一方、押鍵された鍵６０が所定以上高音である（４４０Ｈｚ以上の音名に対応するものである）場合には、第２の振動体７２ｂが振動することを抑制できる。これにより、アコースティックピアノの演奏感に近づけることができるという効果が得られるが、この効果について図５（ｂ）を参照して説明する。
【００６５】
なお、図５（ｂ）は、押鍵時に感じる鍵振動の大きさを各鍵毎にプロットしたものであり、縦軸は演奏者が感じる鍵振動の大きさを示し、横軸は押鍵された鍵６０の音名に対応する基本周波数（Ｈｚ）を示している。また、図５（ｂ）の破線で示すグラフがアコースティックピアノの鍵を押鍵した際に演奏者が感じる鍵振動の大きさを示したものであり、実線で示すグラフが鍵盤装置１の鍵６０を押鍵した際に演奏者が感じる鍵振動の大きさを示したものである。
【００６６】
図５（ｂ）に破線で示すように、アコースティックピアノの鍵を単独で押鍵した場合、低音側の鍵が押鍵されると押鍵時に感じる振動が大きくなり、高音側の鍵が押鍵されると押鍵時に感じる振動が小さくなる（ほぼ無くなる）。
【００６７】
より具体的には、３２Ｈｚ以上１６５Ｈｚ未満の音名（Ｃ１〜Ｅ３）に対応する鍵が押鍵された場合には、比較的強い振動が感じられ、１６５Ｈｚ以上３５０Ｈｚ未満の音名（Ｆ３〜Ｆ４）に対応する鍵が押鍵された場合には、基本周波数が３２Ｈｚ以上１６５Ｈｚ未満の音名に対応する鍵が押鍵された場合に比べ、若干弱い中程度の振動が感じられる。
【００６８】
即ち、アコースティックピアノの鍵を押鍵した場合に演奏者が感じる振動は、基本周波数が３２Ｈｚ以上１６５Ｈｚ未満の音域においてピークを有しており、その音域よりも高音側の鍵が押鍵されるほど感じる振動が小さくなる。この一方で、押鍵された鍵が高音側になるにつれて徐々に（比例的に）感じる振動が小さくなるのではなく、基本周波数が３５０Ｈｚ以上４４０Ｈｚ未満の音名（Ｆ＃４〜Ｇ＃４）に対応する鍵では押鍵時に感じる振動が急激に小さくなり、基本周波数が４４０Ｈｚ以上の音名（Ａ４以上）に対応する鍵になると押鍵時に感じる振動がほぼゼロになる。
【００６９】
これに対して本実施形態では、基本周波数が５５Ｈｚ以上６６Ｈｚ未満の音名（Ａ１〜Ｃ２）に対応する鍵６０が配置される領域において振動伝達部材７０に第２の振動体７２ｂ（プレート７１）が固定され（図４参照）、音源装置１００から出力される楽音信号の基本周波数が４４０Ｈｚ以上である場合、即ち、基本周波数が４４０Ｈｚ以上の音名（Ａ４以上）に対応する鍵６０が押鍵された場合には、第２の振動体７２ｂの振動を抑制するように構成されている。
【００７０】
これにより、基本周波数が４４０Ｈｚ未満の音名に対応する鍵６０が押鍵された場合には、その押鍵された鍵６０を比較的大きく振動させることができる一方、基本周波数が４４０Ｈｚ以上の音名に対応する鍵６０が押鍵された場合には、演奏者が感じる振動をほぼゼロにすることができる。よって、アコースティックピアノの演奏感に近づけることができる。
【００７１】
また、４４０Ｈｚ未満の音名に対応する鍵６０と、４４０Ｈｚ以上の音名に対応する鍵６０とが同時に押鍵された場合には、４４０Ｈｚ未満の音名に対応する鍵６０の押鍵に基づく楽音信号で（即ち、４４０Ｈｚ未満の基本周波数で）第２の振動体７２ｂが振動する。この場合、振動伝達部材７０に沿って左右に伝達される振動は、基本周波数が低いほど減衰され難いため、４４０Ｈｚ未満の基本周波数での第２の振動体７２ｂの振動は、４４０Ｈｚ以上の高音域の鍵６０に振動伝達部材７０を介して伝達される。
【００７２】
即ち、振動伝達部材７０は、低音側の音域（例えば、３２Ｈｚ未満の音名（Ｂ０以下）に対応する鍵６０の配置領域）から高音側の音域（例えば、１０００Ｈｚ以上の音名（Ｃ６以上）に対応する鍵６０の配置領域）にわたってベース部材５０に固定（当接）されているので、低音側の鍵６０と高音側の鍵６０とが同時に押鍵された場合には、低音側の鍵６０の押鍵に基づく第２の振動体７２ｂの振動を、振動伝達部材７０を介して高音側の鍵６０にも伝達させることができる。よって、演奏者の両手に振動を感じさせることができるので、アコースティックピアノの演奏感により近づけることができる。
【００７３】
また、基本周波数が５５Ｈｚ以上６６Ｈｚ未満の音名に対応する鍵６０の配置領域内で、振動伝達部材７０に第２の振動体７２ｂ（プレート７１）が固定される（振動伝達部材７０とプレート７１とが当接される）ので、アコースティックピアノで最も振動が感じられすい低音側の領域に第２の振動体７２ｂを配置し、その領域内に配置される鍵６０を効率よく振動させることができる。即ち、１個の第２の振動体７２ｂの振動によってアコースティックピアノの押鍵時の振動を模擬することができるので、製品コストを低減できる。
【００７４】
ここで、高音側の（例えば、４４０Ｈｚ以上の音名に対応する）鍵６０が単独で押鍵された場合に振動を感じ難くしつつ、低音側の（例えば、４４０Ｈｚ未満の音名に対応する）鍵６０と高音側の鍵６０とが同時に押鍵された場合に高音側の鍵６０でも振動を感じさせる方法として、音源装置１００とは別の信号生成部を第２の振動体７２ｂ用に設け、低音側の鍵６０の押鍵時のみ（高音側の鍵６０の押鍵を無視して）、かかる信号生成部から第２の振動体７２ｂを振動させる信号を出力させることも可能である。しかしながら、そのような構成では、低音側または高音側のいずれの鍵６０が押鍵されたのかを判定する手段を設ける必要があると共に、第２の振動体７２ｂ用の信号生成部を音源装置１００とは別に設ける必要があり、鍵盤装置１の製品コストが増大する。
【００７５】
これに対して、本実施形態では、音源装置１００（スピーカ２０で放音するための楽音信号を出力するもの）を利用して第２の振動体７２ｂを振動させているので、音源装置１００とは別の信号生成部を第２の振動体７２ｂ用に設けることを不要にできる。更に、音源装置１００から出力される信号の基本周波数が鍵６０の音名毎に相違している点を利用することにより、信号加工部１２０にローパスフィルタを設けるだけで、高音側の鍵６０の押鍵時に第２の振動体７２ｂを振動させないようにすることができる。即ち、低音側または高音側のいずれの鍵６０が押鍵されたのかを判定する手段を不要にできる。よって、鍵盤装置１の製品コストを低減できる。
【００７６】
このように、本実施形態では、演奏時（押鍵時）に第２の振動体７２ｂを振動させることによって押鍵時の振動を演奏者に付与することができる。更に、演奏時の第２の振動体７２ｂの振動によって基板９１（図３参照）も振動させることができるので、演奏と同時に接点の清掃も行うことができる。この一方で、高音側の鍵６０の押鍵時には、第２の振動体７２ｂの振動体の振動が抑制されているため、高音側の鍵６０の配置領域においては演奏時に接点の異物が除去され難くなっている。
【００７７】
これに対して本実施形態では、基本周波数が４４０Ｈｚ以上の音域に対応する鍵６０の配置領域に第１の振動体７２ａ（図４参照）が配置される。より具体的には、基本周波数が９８０Ｈｚ以上１１７５Ｈｚ未満の音名（Ｂ５〜Ｄ６）に対応する鍵６０が配置される領域において、振動伝達部材７０に第１の振動体７２ａ（プレート７１）が固定される。これにより、第１の振動体７２ａを非演奏時に振動させることにより、高音側の鍵６０の配置領域において基板９１を振動させることができる。よって、高音側に位置する接点において演奏時に除去できなかった異物を、非演奏時の第１の振動体７２ａの振動によって除去できる。
【００７８】
即ち、演奏時には、第２の振動体７２ｂの振動により、アコースティックピアノの押鍵時の振動を模擬しつつ、低音側に位置する接点上の異物を除去できる。一方、非演奏時には、第１の振動体７２ａ及び第２の振動体７２ｂの振動により、低音側や高音側に位置する（全ての）接点において演奏時に除去できなかった異物を除去することができる。
【００７９】
この場合、低音側に位置する接点の清掃は、演奏時の第２の振動体７２ｂの振動によって概ね行うことができるので、非演奏時における接点の清掃時に第２の振動体７２ｂを振動させない構成を採用することも可能であるが、本実施形態では、非演奏時における接点の清掃時に第１の振動体７２ａ及び第２の振動体７２ｂの双方を振動させる構成となっている。これにより、低音側に位置する接点において演奏時に除去できなかった異物があったとしても、その異物を非演奏時に確実に除去することができる。
【００８０】
このような第１の振動体７２ａ及び第２の振動体７２ｂの非演奏時における振動（接点の清掃）は、上述した通り、清掃開始スイッチ３３を操作することで開始することができる。一方、本実施形態では、かかる接点の清掃は、鍵盤装置１の電源がオンされた際にも開始される構成となっている。
【００８１】
図５（ａ）に示すように、鍵盤ユニット４は、電源スイッチ３２及び清掃開始スイッチ３３の操作に基づいて第１の振動体７２ａ及び第２の振動体７２ｂのそれぞれに信号を出力する信号出力部１４０を備えている。信号出力部１４０は、電源スイッチ３２によって鍵盤装置１の電源がオンされるか、若しくは、清掃開始スイッチ３３が操作されたことに基づいて、第１の振動体７２ａ及び第２の振動体７２ｂのそれぞれを所定時間（例えば、数秒間）振動させる信号を出力する信号処理装置である。
【００８２】
これにより、電源スイッチ３２の操作（電源のオン）に基づいて第１の振動体７２ａ及び第２の振動体７２ｂを振動させる場合には、鍵盤装置１の起動時間を利用して接点を清掃することができる。これにより、演奏者が接点の清掃を待つ不快感を覚えることを抑制できると共に、接点に異物が付着した状態で演奏が開始されることを抑制できる。また、演奏中に生成された楽音に対して違和感を覚えた場合等、必要なタイミングで演奏者が清掃開始スイッチ３３を操作して接点の清掃を行うことができる。
【００８３】
図示は省略するが、第１の振動体７２ａ及び第２の振動体７２ｂによる接点の清掃が行われている間は、接点の清掃中であることが表示装置３４（図１参照）で報知される（例えば、「接点クリーニング中」等の文字が表示される）ようになっている。これにより、演奏者が接点の清掃を待つ不快感を覚えることを抑制できる。特に、そのような報知（接点の清掃）を鍵盤装置１の起動時間中に行うことにより、演奏者が鍵盤装置１の起動を待つ不快感を覚えることを抑制できる。即ち、従来は単に起動を待つだけであった時間を有意義なものとして演奏者に認識させることができる。
【００８４】
また、信号出力部１４０からの信号に基づく第１の振動体７２ａ及び第２の振動体７２ｂの振動の振幅は、音源装置１００からの信号に基づく第２の振動体７２ｂの振動よりも大きく設定されている。これにより、演奏時に第２の振動体７２ｂの振動によって除去できなかった異物を、非演奏時における第１の振動体７２ａ及び第２の振動体７２ｂの大きな振動によって確実に除去することができる。
【００８５】
この場合、信号出力部１４０から出力される信号に基づく第１の振動体７２ａ及び第２の振動体７２ｂの振動（振幅）が比較的大きくされるため、例えば、可聴域内の周波数で第１の振動体７２ａ及び第２の振動体７２ｂを振動させると、接点の清掃中に騒音となり易くなる。
【００８６】
これに対して本実施形態では、信号出力部１４０は、可聴域外の周波数で第１の振動体７２ａ及び第２の振動体７２ｂを振動させるので、第１の振動体７２ａ及び第２の振動体７２ｂの振動（振幅）を比較的大きくした場合でも、その振動による騒音が生じることを抑制できる。
【００８７】
なお、可聴域外の周波数とは、２０Ｈｚ未満か、若しくは２００００Ｈｚ以上の周波数であるが、本実施形態では、信号出力部１４０からの信号に基づいて第１の振動体７２ａ及び第２の振動体７２ｂが２０Ｈｚ未満の周波数で振動するように構成されている。これにより、第１の振動体７２ａ及び第２の振動体７２ｂを振動させるためのエネルギー（消費電力）を低減させることができる。また、第１の振動体７２ａ及び第２の振動体７２ｂの振動が振動伝達部材７０やベース部材５０を伝達する際に減衰され難くなるので、接点上の異物を除去し易くできる。
【００８８】
次いで、図６から図８を参照して、第２実施形態について説明する。第１実施形態では、ベース部材５０（振動伝達部材７０）に第１の振動体７２ａ及び第２の振動体７２ｂが固定される場合を説明したが、第２実施形態では、基板９１に振動体２７２が固定される場合について説明する。なお、上述した第１実施形態と同一の部分には同一の符号を付してその説明を省略する。
【００８９】
図６は、第２実施形態における鍵盤装置２０１の断面図であり、図７は、図６の矢印ＶＩＩ方向視における鍵盤装置２０１の部分拡大底面図である。図８は、図６のＶＩＩＩ−ＶＩＩＩ部分を拡大した鍵盤装置２０１の部分拡大断面図である。
【００９０】
図６に示すように、第２実施形態の鍵盤装置２０１は、基板９１の裏面（下面）に振動伝達部材２７３を介して固定される１個の振動体２７２を備える。振動体２７２は、磁気回路やボイスコイル等を備え、例えば、スピーカの振動板を振動させるための駆動装置であり、公知の構成が採用可能であるのでその詳細な説明を省略する。このように、振動体２７２を基板９１に直接固定することにより、振動体がベース部材５０に固定される第１実施形態に比べ、振動体２７２の振動によって接点の異物を効果的に除去できる。
【００９１】
振動体２７２は、鍵６０が押鍵された場合と、清掃開始スイッチ３３（図１参照）が操作された場合とに基づいて振動するように構成されている。これにより、演奏時に振動体２７２によって押鍵時の振動を演奏者に付与しつつ、基板９１上の接点の清掃を行うことができる。
【００９２】
また、非演奏時においても清掃開始スイッチ３３を操作することで接点の清掃を行うことができる。清掃開始スイッチ３３が操作された場合の振動体２７２の振動の振幅は、押鍵時の振動よりも大きくなるように設定されているため、演奏時に除去しきれなかった異物を確実に除去することができる。
【００９３】
なお、押鍵時における振動体２７２の振動は、押鍵された鍵６０の音名に関わらず常に一定の周波数となっている。
【００９４】
図７に示すように、基板９１は、左右方向（矢印Ｌ−Ｒ方向）に複数（本実施形態では、３枚）並べて設けられ、それら複数の基板９１を連結するようにして１枚の振動伝達部材２７３が固定されている。振動伝達部材２７３は、左右に長い金属製の板状体である。
【００９５】
振動伝達部材２７３は、最も低音側（矢印Ｌ側）に位置する基板９１の低音側の端部から最も高音側（矢印Ｒ側）に位置する基板９１の高音側の端部にわたって（左右方向に沿って）基板９１に固定されている。即ち、振動伝達部材２７３は、複数の基板９１の全てに当接した状態で設けられる。
【００９６】
振動体２７２は、振動伝達部材２７３（各鍵６０の配置領域）の左右方向略中央に１個が配置される。左右方向略中央とは、基本周波数が２２０Ｈｚ以上５２４Ｈｚ未満の音名に対応する鍵６０の配置領域である。
【００９７】
振動体２７２は、振動伝達部材２７３を介して各基板９１に固定され、振動伝達部材２７３は、左右に並ぶ各基板９１に固定されているので、振動体２７２の振動は、振動伝達部材２７３を介して各基板９１に伝達される。金属製の振動伝達部材２７３は、樹脂製の基板９１に比べて剛性が高いため、振動体２７２の振動を、振動伝達部材２７３を介して各基板９１に効率よく伝達することができる。よって、各基板９１の接点上の異物を振動体２７２の振動によって除去し易くすることができる。
【００９８】
また、振動伝達部材２７３が各基板９１のそれぞれに固定されることにより、複数の基板９１が振動伝達部材２７３によって一体的に連結されている。これにより、振動体２７２の振動によって各基板９１と振動伝達部材２７３との相対位置がズレる（当接状態から離れる）ことを抑制できる。よって、左右に並ぶ各基板９１に振動体２７２の振動を効率よく伝達し、基板９１の接点上の異物を除去し易くできる。更に、１個の振動体２７２の振動を複数の基板９１（接点）に伝達することができるので、振動体２７２の数を減らして製品コストを低減できる。
【００９９】
図８に示すように、基板９１は、前後（矢印Ｆ−Ｂ方向）の離れた２点でベース部材５０に固定され、その２点の固定位置の間に接点が配置されているため、押鍵時のハンマー８０の回転によって可動接点９４が固定接点９２側に押し込まれると、基板９１が撓むことがある。これに対して本実施形態では、基板９１に金属製の振動伝達部材２７３が固定されているため、押鍵時の基板９１の撓みを振動伝達部材２７３によって防止できる。これにより、接点においてハンマー８０の回転量（押鍵のストローク量）を正確に検出できるので、押鍵情報を精度良く検出することができる。
【０１００】
押鍵時のハンマー８０の回転により、可動接点９４が固定接点９２に接触するため、押鍵時における鍵６０（図６参照）は、ハンマー８０及び接点を介して基板９１に接触する。この時、押鍵に伴って振動体２７２が振動するため、その振動が接点およびハンマー８０を介して鍵６０に伝達される。これにより、振動体２７２によって演奏時の鍵６０の振動を演奏者に付与しつつ、その振動によって接点（押鍵されていない鍵６０の接点）を清掃することができる。
【０１０１】
また、振動伝達部材２７３が基板９１の裏面（接点が配置される面とは反対側の下面）に固定され、基板９１の厚み方向において固定接点９２の一部と振動伝達部材２７３の一部とが重なるように配置されている。これにより、振動伝達部材２７３を介して伝達される振動体２７２の振動を、基板９１における接点の配置部分に伝達させ易くすることができる。よって、接点上の異物を効果的に除去することができる。
【０１０２】
特に、本実施形態では、前後に並ぶ複数（３個）の固定接点９２のうち、最も下方側に位置する固定接点９２と振動伝達部材２７３とが基板９１の厚み方向で重なるように配置されているため、固定接点９２上の異物を効果的に除去できる。
【０１０３】
即ち、基板９１は、使用状態において前方側に向けて下降傾斜して配置され、その傾斜する基板９１上に複数の固定接点９２が前後に並べて配置されているため、最も下方側に位置する固定接点９２には他の固定接点９２や可動接点９４から除去された異物が再度付着し易くなる。これに対し、最も下方側の固定接点９２と振動伝達部材２７３とが基板９１の厚み方向で重なるように配置することにより、かかる固定接点９２の上に異物が留まることを抑制できる。
【０１０４】
以上、上記実施形態に基づき説明をしたが、本発明は上記実施形態に何ら限定されるものではなく、本発明の趣旨を逸脱しない範囲内で種々の改良変形が可能であることは容易に推察できるものである。
【０１０５】
上記各実施形態では、鍵盤装置１が電子ピアノとして構成される場合を説明したが、必ずしもこれに限られるものではない。例えば、他の電子楽器（例えば、電子オルガン）においても上記各実施形態の技術思想を適用できる。
【０１０６】
上記各実施形態では、鍵盤装置１が８８個の鍵６０を備える場合を説明したが、必ずしもこれに限られるものではない。例えば、鍵盤装置１は、鍵６０が８８個未満の小型の電子ピアノであっても良い。
【０１０７】
上記各実施形態では、ベース部材５０の前後の両端側（２点）がシャーシ３０に固定される場合を説明したが、必ずしもこれに限られるものではない。例えば、ベース部材５０のシャーシ３０に対する固定位置は、１個所（ベース部材５０の全体がシャーシ３０に接触する構成）でも良く、３個所以上でも良い。シャーシ３０に対するベース部材５０の固定位置が少なくとも２個所以上ある構成であれば、その固定個所の間の領域（ベース部材５０の振動の腹となる部位）に振動伝達部材７０や基板９１を固定することが好ましい。これにより、振動体７２，２７２の振動によって鍵６０や基板９１を振動させ易くすることができる。
【０１０８】
上記各実施形態では、振動伝達部材７０，２７３を介して振動体７２，２７２がベース部材５０や基板９１に固定される場合を説明したが、必ずしもこれに限られるものではない。例えば、振動伝達部材７０，２７３を省略し、振動体７２，２７２をベース部材５０や基板９１に直接固定しても良い。
【０１０９】
上記各実施形態では、振動伝達部材７０，２７３が金属製である場合を説明したが、必ずしもこれに限られるものではない。例えば、少なくともベース部材５０及び基板９１よりも剛性の高いものであれば金属以外の材料（例えば、ベース部材５０及び基板９１よりも剛性の高い樹脂材料や、樹脂材料に金属材料をインサート成形したもの）を用いて振動伝達部材７０，２７３を形成しても良い。
【０１１０】
上記各実施形態では、振動伝達部材７０，２７３が左右方向に長い断面コ字形（Ｃ形）や、板状に形成される場合を説明したが、必ずしもこれに限られるものではない。例えば、角柱や円柱状に振動伝達部材７０，２７３を形成しても良く、中実や中空状に振動伝達部材７０を形成しても良い。
【０１１１】
上記各実施形態では、振動伝達部材７０，２７３が左右方向に沿った直線状に形成される場合を説明したが、必ずしもこれに限られるものではない。例えば、複数の鍵６０の配置領域にわたって振動伝達部材７０，２７３がベース部材５０や基板９１に当接される構成であれば、振動伝達部材７０，２７３の形状は限定されない。よって、例えば、左右に延びる振動伝達部材７０，２７３の一部が前後に屈曲（湾曲）する構成でも良い。
【０１１２】
上記各実施形態では、ベース部材５０に２個の振動体７２が固定される場合や、基板９１に１個の振動体２７２が固定される場合を説明したが、必ずしもこれに限られるものではない。例えば、ベース部材５０や基板９１に固定される振動体７２，２７２の数は、１個でも複数個でも良い。特に、基板９１が左右に複数並べて設けられる場合には、その基板９１毎に振動体を設けることが好ましい。
【０１１３】
上記各実施形態では、使用状態において基板９１が水平方向に対して傾斜して配置される場合を説明したが、必ずしもこれに限られるものではない。例えば、使用状態において基板９１が水平方向に沿って配置される構成でも良い。
【０１１４】
上記各実施形態では、基板９１の貫通孔９６を被覆する被覆体の一例として、不織布９７を例示したが、必ずしもこれに限られるものではない。被覆体は、貫通孔９６での空気の流通を可能としつつ、異物の侵入を防止できるものであれば、不織布９７以外の物であっても良い。よって、例えば、通気性を有する織布や網状のものを用いて被覆体を形成しても良い。
【０１１５】
上記第１実施形態では、最も低音側に位置するベース部材５０の低音側の端部から最も高音側に位置するベース部材５０の高音側の端部にわたって振動伝達部材７０が固定される場合を説明したが、必ずしもこれに限られるものではない。例えば、複数のベース部材５０が左右に並べて設けられる場合、それら複数のベース部材５０のそれぞれに振動伝達部材７０が少なくとも当接していれば良い。これにより、振動伝達部材７０を介して振動体７２の振動を各ベース部材５０（鍵６０や基板９１）に伝達できる。
【０１１６】
上記第１実施形態では、ベース部材５０に対する振動伝達部材７０の固定方法（当接位置）の詳細な説明を省略したが、少なくとも複数のベース部材５０のそれぞれに振動伝達部材７０が当接している（ベース部材５０に支持される鍵６０や基板９１に振動を伝達できる）構成であれば、ベース部材５０に対する振動伝達部材７０の固定はねじによる締結や接着剤による接着等、適宜設定できる。また、その固定によるベース部材５０と振動伝達部材７０との当接位置は左右方向で連続していても断続的であっても良い。
【０１１７】
上記第１実施形態では、振動体７２が振動伝達部材７０を介してベース部材５０の下面に固定される場合を説明したが、必ずしもこれに限られるものではなく、振動体７２の固定位置は適宜設定できる。よって、例えば、ベース部材５０の後面、前面、若しくは、上面（ベース部材５０と鍵６０との間の領域）に振動体７２を固定しても良い。
【０１１８】
上記第１実施形態では、非演奏時において、電源スイッチ３２によって電源がオンされた場合や清掃開始スイッチ３３が操作された場合に振動体７２の振動が開始される場合を説明したが、必ずしもこれに限られるものではない。例えば、電源スイッチ３２によって電源がオンされた場合のみ振動体７２を振動させる構成や、清掃開始スイッチ３３が操作された場合のみ、振動体７２を振動させる構成でも良い。また、電源スイッチ３２によって電源のオフが指示されたことに基づいて振動体７２を所定時間振動させる構成でも良い。
【０１１９】
上記第１実施形態では、振動体７２が第１の振動体７２ａ及び第２の振動体７２ｂから構成される場合を説明したが、必ずしもこれに限られるものではない。例えば、第１の振動体７２ａや第２の振動体７２ｂのいずれかを省略しても良い。また、第２の振動体７２ｂを押鍵時にのみ振動させ、非演奏時に振動する振動体（第１の振動体７２ａに相当するもの）を低音側に別途設けても良い。
【０１２０】
上記第１実施形態では、信号出力部１４０からの信号に基づく第２の振動体７２ｂ（第１の振動体７２ａ）の振動の振幅が、音源装置１００からの信号に基づく第２の振動体７２ｂの振動の振幅よりも大きくされる場合を説明したが、必ずしもこれに限られるものではない。例えば、信号出力部１４０からの信号に基づく第２の振動体７２ｂ（第１の振動体７２ａ）の振動の振幅が、音源装置１００からの信号に基づく第２の振動体７２ｂの振動の振幅と同一か、若しくはそれよりも小さくても良い。
【０１２１】
上記第１実施形態では、信号出力部１４０からの信号に基づく第１の振動体７２ａ及び第２の振動体７２ｂの振動の周波数が２０Ｈｚ未満である場合を説明したが、必ずしもこれに限られるものではない。例えば、信号出力部１４０からの信号に基づく第１の振動体７２ａ及び第２の振動体７２ｂの振動の周波数は、２００００Ｈｚ以上の可聴域外の周波数であっても良い。
【０１２２】
上記第１実施形態では、第１の振動体７２ａ及び第２の振動体７２ｂのそれぞれがベース部材５０に固定される場合を説明したが、必ずしもこれに限られるものではない。第１の振動体７２ａ及び第２の振動体７２ｂのいずれか（若しくは、両方）を基板９１に直接固定する構成でも良い。
【０１２３】
上記第１実施形態では、第１の振動体７２ａ及び第２の振動体７２ｂの振動によって接点が清掃中であることを報知する手段の一例として、表示装置３４に文字を表示する場合を説明したが、必ずしもこれに限られるものではない。例えば、接点の清掃中に楽音を放音することで報知を行っても良い。また、信号出力部１４０からの信号に基づく第１の振動体７２ａ及び第２の振動体７２ｂの振動を可聴域内の周波数に設定し、その振動によって可聴音を出力することで接点の清掃中であることを報知しても良い。
【０１２４】
上記第１実施形態では、信号出力部１４０からの信号に基づいて第１の振動体７２ａ及び第２の振動体７２ｂの双方が振動する場合を説明したが、必ずしもこれに限られるものではない。例えば、信号出力部１４０からの信号に基づいて第１の振動体７２ａのみを振動させる構成でも良い。
【０１２５】
上記第１実施形態では、基本周波数が５５Ｈｚ以上６６Ｈｚ未満の音名に対応する鍵６０が配置される領域に第２の振動体７２ｂが設けられる場合を説明した。かかる範囲に限られるものではないが、基本周波数が３２Ｈｚ以上１６５Ｈｚ未満の音名に対応する鍵６０が配置される領域に第２の振動体７２ｂを設けることが好ましい。
【０１２６】
即ち、基本周波数が３２Ｈｚ未満や１６５Ｈｚ以上の音名に対応する鍵６０の配置領域に第２の振動体７２ｂが設けられる構成であると、第２の振動体７２ｂがアコースティックピアノにおいて最も振動が感じられる領域（振動のピーク）から遠ざかってしまう。よって、１個の第２の振動体７２ｂでアコースティックピアノの演奏感（図５（ｂ）に示す押鍵時に感じる振動の分布）を模擬することが困難となる。
【０１２７】
これに対して、基本周波数が３２Ｈｚ以上１６５Ｈｚ未満の音名に対応する鍵６０が配置される領域に第２の振動体７２ｂを設けることにより、１個の第２の振動体７２ｂでアコースティックピアノの演奏感に近づけることができる。
【０１２８】
上記第１実施形態では、音源装置１００の楽音信号に基づいて第２の振動体７２ｂを振動させる場合を説明したが、必ずしもこれに限られるものではない。例えば、音源装置１００とは別の信号生成部を第２の振動体７２ｂ用に設け、基本周波数が４４０Ｈｚ未満の音域に対応する鍵６０の押鍵時のみ（４４０Ｈｚ以上の音域に対応する鍵６０の押鍵は無視して）信号生成部から信号を出力することで第２の振動体７２ｂを振動させる構成でも良い。
【０１２９】
上記第１実施形態では、押鍵された鍵６０毎に異なる基本周波数で第２の振動体７２ｂを振動させる場合を説明したが、必ずしもこれに限られるものではない。例えば、押鍵された鍵６０の音域に関わらず、常に一定の基本周波数で第２の振動体７２ｂを振動させる構成でも良い。
【０１３０】
上記第２実施形態では、複数の基板９１が左右方向に並べて設けられる場合を説明したが、必ずしもこれに限られるものではない。例えば、１部材からなる基板９１に各接点を形成する構成でも良い。
【０１３１】
上記第２実施形態では、最も低音側に位置する基板９１の低音側の端部から最も高音側に位置する基板９１の高音側の端部にわたって振動伝達部材２７３が固定される場合を説明したが、必ずしもこれに限られるものではない。例えば、複数の基板９１が左右に並べて設けられる場合には、複数の基板９１のそれぞれに振動伝達部材２７３が少なくとも当接していれば良い。これにより、振動伝達部材２７３を介して振動体２７２の振動を各鍵６０や各基板９１に伝達できる。
【０１３２】
上記第２実施形態では、基板９１に対する振動伝達部材２７３の固定方法（当接位置）の詳細な説明を省略したが、少なくとも複数の基板９１のそれぞれに振動伝達部材２７３が当接している（基板９１を介して鍵６０や接点に振動を伝達できる）構成であれば、基板９１に対する振動伝達部材２７３の固定はねじによる締結や接着剤による接着等、適宜設定できる。また、その固定による基板９１と振動伝達部材２７３との当接位置は左右方向で連続していても断続的であっても良い。
【０１３３】
上記第２実施形態では、振動伝達部材２７３を介して振動体２７２が基板９１の裏面に固定される場合を説明したが、必ずしもこれに限られるものではない。例えば、振動伝達部材２７３を介して振動体２７２を基板９１の表面に固定しても良く、基板９１の表面に振動体２７２を直接（振動伝達部材２７３を介することなく）固定しても良い。
【符号の説明】
【０１３４】
１，２０１                              鍵盤装置
３２                                    電源スイッチ（操作部）
３３                                    清掃開始スイッチ（操作部）
３４                                    表示装置（報知手段）
５０                                    ベース部材
６０                                    鍵
７０                                    振動伝達部材
７２                                    振動体
７２ａ                                  第１の振動体（振動体）
７２ｂ                                  第２の振動体（振動体）
２７２                                  振動体
２７３                                  振動伝達部材
９１                                    基板
９２                                    固定接点（接点）
９３                                    カバー
９３ａ                                  カバーの下端側の内面
９４                                    可動接点（接点）
９６                                    貫通孔
９７                                    不織布（被覆体）
１００                                  音源装置（第２の出力手段）
１２０                                  信号加工部（第２の出力手段）
１３０                                  アンプ（第２の出力手段）
１４０                                  信号出力部（第１の出力手段）
【図１】
2020173293.tif 000003
【図２】
2020173293.tif 000004
【図３】
2020173293.tif 000005
【図４】
2020173293.tif 000006
【図５】
2020173293.tif 000007
【図６】
2020173293.tif 000008
【図７】
2020173293.tif 000009
【図８】
2020173293.tif 000010